(57)【要約】【課題】  ファクシミリ装置が持つ掲示板情報の活用範囲を拡大させる。【解決手段】  原稿を光学的に読み取り電気信号に変換するスキャナ部３と、電気信号を変換し記録紙へ記録するプロッタ部４と、回線へのアクセスと通信プロトコルを実行する通信制御部７とを有し、システム制御部１は所定の取出し依頼をＰＢ（プッシュボタン）信号で受信した後に、Ｔ．３７メール形式で依頼に該当する電文情報を送る。これにより、受信した電文情報を、パーソナルコンピュータ（ＰＣ）に取り込んで閲覧、加工ができるようになり、情報の活用の範囲を広げることができる。また、ワンタッチキーまたは短縮キーをさらに有し、このワンタッチキーまたは短縮キーにより所定のメールアドレスを登録し、登録したワンタッチキー、短縮キーの番号をＰＢ信号で指定することにより、依頼に該当の情報（音声情報）の送信を可能とする。【選択図】  図１
2006050412.tif 000002
【特許請求の範囲】
【請求項１】
原稿を光学的に読み取り電気信号に変換するスキャナ部と、
前記電気信号を変換し記録紙へ記録するプロッタ部と、
回線へのアクセスと通信プロトコルを実行する通信制御部と、
所定の取出し依頼をＰＢ信号で受信した後に、Ｔ．３７メール形式で前記依頼に該当する電文情報を送る、ことを特徴とするインターネットファクシミリ装置。
【請求項２】
前記取出し依頼をＰＢ信号で受信した後に、該依頼に該当の情報をメール形式で送ることを特徴とする請求項１に記載のインターネットファクシミリ装置。
【請求項３】
ワンタッチキーまたは短縮キーをさらに有し、該ワンタッチキーまたは短縮キーにより所定のメールアドレスを登録し、該登録したワンタッチキー、短縮キーの番号を前記ＰＢ信号で指定することにより、前記依頼に該当の情報（音声情報）の送信を可能としたことを特徴とする請求項２に記載のインターネットファクシミリ装置。
【請求項４】
前記通信プロトコルは、Ｇ３／Ｇ４プロトコルであることを特徴とする請求項２または３に記載のインターネットファクシミリ装置。
【請求項５】
前記メール形式は、ＷＡＶファイル添付の形式であることを特徴とする請求項２から４の何れかに記載のインターネットファクシミリ装置。
【発明の詳細な説明】
【技術分野】
【０００１】
本発明は、インタネットメール機能を持つインターネットファクシミリ装置に関し、とくに、ＩＴＵ−Ｔ Ｔ．３０とＴ．３７のプロトコルに基く掲示板機能を持つインターネットファクシミリ装置に関する。なお、ＩＴＵ（International Telecommunication Union）−Ｔ Ｔ．３０（およびＴ．３７）は、ＦＡＸ伝送での文書を送信するために必用となる通信プロトコルについての勧告である。
【背景技術】
【０００２】
従来、ファクシミリ装置がインタネットメール機能を持っている場合に、これを活用することで掲示板を取出し、情報の活用方法を広げることができる。このインターネットファクシミリ装置における掲示板機能は、例えば、ＰＢ（プッシュボタン）信号、Ｆコード等を用いて取出し依頼をすることにより、その後、Ｇ３  ＦＡＸ通信で電文が送られてくる。これに係るＰＢ信号、或は、Ｆコード（ＳＥＰ）で取出す技術が下記文献等に開示されている（参照；特許文献１、特許文献２、特許文献３、特許文献４）。
【特許文献１】特開２０００−２６１５８３号公報
【特許文献２】特開２００３−３３３２７０号公報
【特許文献３】特開平８−２３３４６号公報
【特許文献４】特開平１１−１４６１１７号公報
【発明の開示】
【発明が解決しようとする課題】
【０００３】
しかし、現状のファクシミリ装置が持つ掲示板機能は、下記の問題点を有している。
第１の課題として、従来はＰＢ信号で取出し依頼を受信した後、通常はＧ３  ＦＡＸ通信で電文を送るので、電文の加工、活用方法に限界がある。
第２の課題として、音声情報の掲示板取出しについて、従来は受話器で聞くだけで、音声情報の活用方法に限界が有る。
第３の課題として、ＰＢ信号で取出し依頼をする時、ＰＢ信号では取出し情報の送り先となるメールアドレスを指定することが出来ない。
本発明は、これらの問題を解消したインターネットファクシミリ装置を提供することを目的とする。
【課題を解決するための手段】
【０００４】
請求項１に記載の発明のインターネットファクシミリ装置では、原稿を光学的に読み取り電気信号に変換するスキャナ部と、電気信号を変換し記録紙へ記録するプロッタ部と、回線へのアクセスと通信プロトコルを実行する通信制御部と、所定の取出し依頼をＰＢ（プッシュボタン）信号で受信した後に、Ｔ.３７メール形式で前記依頼に該当する電文情報を送る、ことを特徴とする。
【０００５】
請求項２に記載の発明では、請求項１に記載のインターネットファクシミリ装置において、取出し依頼をＰＢ信号で受信した後に、この依頼に該当の情報をメール形式で送ることを特徴とする。
【０００６】
請求項３に記載の発明では、請求項２に記載のインターネットファクシミリ装置が、ワンタッチキーまたは短縮キーをさらに有し、このワンタッチキーまたは短縮キーにより所定のメールアドレスを登録し、登録したワンタッチキー、短縮キーの番号をＰＢ信号で指定することにより、依頼に該当の情報（音声情報）の送信を可能としたことを特徴とする。
【０００７】
請求項４に記載の発明では、請求項２または３に記載のインターネットファクシミリ装置の上記通信プロトコルは、Ｇ３／Ｇ４プロトコルであることを特徴とする。
【０００８】
請求項５に記載の発明では、請求項２から４の何れかに記載のインターネットファクシミリ装置においてメール形式は、ＷＡＶファイル添付の形式であることを特徴とする。
【発明の効果】
【０００９】
請求項１に記載のインターネットファクシミリ装置では、Ｔ．３７メール形式（TIFF-Fファイル添付形式）で該当の情報を送ることにより、パーソナルコンピュータ（ＰＣ）に取り込んで閲覧、加工ができるようになり、情報の活用の範囲を広げることができる。
【００１０】
請求項２に記載のインターネットファクシミリ装置では、さらに、取出し依頼に該当する情報をメール形式で送ることが可能となる。
【００１１】
請求項３に記載のインターネットファクシミリ装置では、さらに、ワンタッチキーまたは短縮キーにより所定のメールアドレスを登録し、この登録した番号をＰＢ信号で指定することにより、依頼に該当の情報（音声情報）の送信が可能となる。
【００１２】
請求項４に記載のインターネットファクシミリ装置では、上記の通信に、Ｇ３／Ｇ４プロトコルを用いることができる。
【００１３】
請求項５に記載のインターネットファクシミリ装置では、上記のメール形式としてＷＡＶファイル添付の形式を用いることができる。
【発明を実施するための最良の形態】
【００１４】
次に、添付図面を参照して本発明によるインターネットファクシミリ装置の実施の形態を詳細に説明する。図１〜図８を参照すると、本発明のインターネットファクシミリ装置の一実施形態が示されている。
【００１５】
図１は、本発明の一実施例のインターネットファクシミリ装置１０の内部構成例を示すブロック図である。本図１において、本実施形態のインターネットファクシミリ装置は、システム制御部１、ＦＡＸ操作部２、スキャナ部プロッタ部３、ページメモリ４、ＳＡＦ等のメモリ部５、符号化、復号化処理を行う画像処理部６、Ｇ３／Ｇ４の通信制御部７、ＬＡＮ制御部８の各部を有して構成される。
上記の各部は、ＦＡＸ用内部バスを介して相互に接続されている。また、通信制御部７は外部のＧ３／Ｇ４回線と接続され、ＬＡＮ制御部８は外部のＬＡＮ回線とそれぞれ接続されている。
【００１６】
図２は、上記に構成されるインターネットファクシミリ装置１０のシステム構成図であり、本実施形態に適用されるシステム構成の一例を示す図である。
図２において、本実施形態のインターネットファクシミリ装置１０は、ルータを介してインターネット回線と接続され、本インターネット回線とは、別個のルータを介してパーソナルコンピュータ（ＰＣ）装置が接続されている。また、本実施形態のインターネットファクシミリ装置１０には、ＮＴＴ交換機を介して電話機とも接続されている。
【００１７】
図３は、図２に示した本実施形態のインターネットファクシミリ装置１０の接続構成において、電話機からファクシミリ装置に対するＰＢオーダリング方法の手順例を示した図である。
図３において、ファクシミリ装置に対して、“ファクシミリ番号発呼”（ステップＳ１）を実行する。これに応答して「こちらはＦＡＸ情報サービスです」（ステップＳ２）、「パスワード＋＃を入力してください」（ステップＳ３）が応答される。
【００１８】
上記の応答に対して、“ＰＢで数字４桁＋＃”（ステップＳ４）を入力する。さらに、「ＢＯＸ番号＋＃を入力してください」（ステップＳ５）の応答があり、これに対応して“ＰＢで数字２桁＋＃（ステップＳ６）を入力する。
ステップＳ６の入力に対応して、「メールアドレスが登録された短縮番号＋＃を入力してください」（ステップＳ７）が返答される。これに対応して“ＰＢで数字４桁＋＃”（ステップＳ８）の入力を実行する。
さらに、「終了する場合は＃を２回入力してください。」（ステップＳ９）が返答される。これに対して、“ＰＢで２回”（ステップＳ１０）の応答を実行する。
上記ステップＳ１〜Ｓ１０の手順の結果、「掲示板情報をお送りします。受話器を置いてください。」の返答が送信されてくる。
【００１９】
図４は、第１の実施例のファクシミリ装置の処理フローを示した図である。本図４において、掲示板のオーダリングがあった場合（ステップＳ１１／ＹＥＳ）、該当の掲示板情報を、指定の短縮番号に登録されたメールアドレスへ送信する。これは、ＩＴＵ−Ｔ Ｔ．３７に準拠したファイルフォーマット及びプロトコルで送信する（ステップＳ１２）。なお、この場合の送り先は、パーソナルコンピュータ（ＰＣ）の他にインターネットファックスでもよい。
【００２０】
図５は、第２の電話機からファクシミリ装置に対するＰＢオーダリング方法の手順例を示した図である。本図５において、ＴＥＬ側からファクシミリ装置側に対して、“ファクシミリ番号発呼”（ステップＳ２１）を実行する。これに応答して、ファクシミリ装置側からＴＥＬ側へ「ことらはＦＡＸ情報サービスです」（ステップＳ２２）、「パスワード＋＃を入力してください」（ステップＳ２３）が応答される。
上記の応答に対して、“ＰＢで数字４桁＋＃”（ステップＳ４）を入力する。さらに、「音声情報ＢＯＸ番号＋＃を入力してください」（ステップＳ２５）の応答があり、これに対応して、“ＰＢで数字２桁＋＃（ステップＳ２６）を入力する。
【００２１】
ステップＳ２６の入力に対応して、「メールアドレスが登録された短縮番号＋＃を入力してください」（ステップＳ２７）が返答される。これに対応して“ＰＢで数字４桁＋＃”（ステップＳ２８）の入力を実行する。
さらに、「終了する場合は＃を２回入力してください。」（ステップＳ９）が返答される。これに対して、“ＰＢで２回”（ステップＳ３０）の応答を実行する。
上記ステップＳ２１〜Ｓ３０の手順の結果、「掲示板情報をお送りします。受話器を置いてください。」の返答が送信されてくる。
【００２２】
図６は、第２の実施例のファクシミリ装置の処理フローを示した図である。本図６において、掲示板のオーダリングがあった場合（ステップＳ３１／ＹＥＳ）、該当の掲示板情報（音声情報）を、指定の短縮番号に登録されたメールアドレスへ送信する。これは、「ＷＡＶファイル」を、添付ファイルとして、電子メールの形式で送信する（ステップＳ３２）。なお、この場合の送り先は、パーソナルコンピュータ（ＰＣ）のみとする。
【００２３】
図７は、パーソナルコンピュータ（ＰＣ）から本発明のファクシミリ装置に対するワンタッチキー、短縮キーへ、登録／変更／削除するためのメール文書の構成例を示している。本構成例によれば、サブジェクトに本図７のメール文書例を記載する。
【００２４】
図８は、ファクシミリ装置の処理フロー例を示している。本図８において、ワンタッチキー、短縮キーへ登録／変更／削除する為のメール文書が有る場合には（ステップＳ４１／ＹＥＳ）、パスワードの一致を確認後（ステップＳ４２／ＹＥＳ）、登録か否か（ステップＳ４３）と、変更か否か（ステップＳ４４）の各確認が実行される。本確認実行において、登録の場合（ステップＳ４３／ＹＥＳ）には、登録処理（ステップＳ４５）が実行される。変更の場合（ステップＳ４４／ＹＥＳ）には、変更処理（ステップＳ４６）が実行される。また、登録でもなく（ステップＳ４３／ＮＯ）、変更でもない（ステップＳ４４／ＮＯ）場合には、削除処理（ステップＳ４７）が実行される。
上記の手順によれば、情報をメール形式で入手が可能となり、取得した情報の活用範囲が拡大する。
【図面の簡単な説明】
【００２５】
【図１】本発明のインターネットファクシミリ装置の実施形態の構成例を示すブロック図である。
【図２】インターネットファクシミリ装置が適用されたシステム構成図である。
【図３】電話機からファクシミリ装置に対するＰＢオーダリング方法（１）の手順例を示す。
【図４】ファクシミリ装置の処理フロー図（１）を示す。
【図５】電話機からファクシミリ装置に対するＰＢオーダリング方法（２）の手順例を示す。
【図６】ファクシミリ装置の処理フロー図（２）を示す。
【図７】ＰＣからファクシミリ装置に対するメール文書の構成例を示す。
【図８】ファクシミリ装置の処理フロー図（３）を示す。
【符号の説明】
【００２６】
１    システム制御部
２    ＦＡＸ操作部
３    スキャナ部プロッタ部
４    プロッタ部
５    メモリ部
６    画像処理部
７    通信制御部
８    ＬＡＮ制御部
１０    ファクシミリ装置
【図１】
2006050412.tif 000003
【図２】
2006050412.tif 000004
【図３】
2006050412.tif 000005
【図４】
2006050412.tif 000006
【図５】
2006050412.tif 000007
【図６】
2006050412.tif 000008
【図７】
2006050412.tif 000009
【図８】
2006050412.tif 000010